(57)【要約】【課題】    任意の画像や模様など独自の情報を印刷して被着体に転写することができる転写シートを提供することを課題とする。【解決手段】図２（ａ）に示すように、この粘着剤シート２０の粘着剤層１２を印刷シート１０の表出している面である印刷層４（二次元コード５）に重ねて貼着する。次に、第２の剥離シート１６側から印刷層４（二次元コード５）の形状を確認して裁断する。さらに、図２（ｂ）に示すように、透明な第２の剥離シート１６を剥離して粘着剤層１２を露出させる。次に、図２（ｃ）に示すように、露出した粘着剤層１２によって被着体３０に貼着する。そして、シート基材８側から水分を供給する。シート基材８は水分が浸透しやすい基材が用いられているので、水分は被着体３０側に位置する水溶層６に達し、この水溶層６が溶けることによってシート基材８を取り除くことができる。このようにして、図２（ｄ）に示すように、転写シートから被着体３０へ印刷層４（二次元コード５）を転写することができる。【選択図】        図２
2006065167.tif 000002
【特許請求の範囲】
【請求項１】
一方の面に印刷可能な印刷シートと、前記印刷シートを被着体に貼着可能にする粘着剤シートと、からなる転写シートであって、
前記印刷シートには少なくともプリンタによって任意の情報を印刷した印刷層を設けたことを特徴とする転写シート。
【請求項２】
前記印刷シートは透明な印刷保護層と、前記印刷保護層の一方の面に設けた印刷層と、前記印刷保護層の他方の面に設けた水溶層と、前記水溶層の他方の面に設けたシート基材と、を備え、
前記粘着剤シートは透明な粘着剤層と、前記粘着剤層の一方の面に設けた第１の剥離シートと、前記粘着剤層の他方の面に設けた第２の剥離シートと、を備えることを特徴とする請求項１記載の転写シート。
【請求項３】
前記印刷シートには文字情報を符号化し縦横二方向に展開した二次元コードを含む印刷層を設けたことを特徴とする請求項１記載の転写シート。
【請求項４】
前記文字情報を符号化し縦横二方向に展開した二次元コードは、住所、氏名、電話番号、ファクシミリ番号、携帯電話番号、ＵＲＬアドレス、電子メールアドレス、イベント、チケットのいずれかに関する情報を含むことを特徴とする請求項１記載の転写シート。
【発明の詳細な説明】
【技術分野】
【０００１】
本発明は被着体に画像や模様などの情報を転写するための転写シートに関し、特に任意の画像や模様などの情報を転写する転写シートに関する。
【背景技術】
【０００２】
従来から、画像や模様などの所定の情報を転写するための転写シートとして、人間の皮膚に画像や模様などの所定の情報を転写して、入れ墨を施したように見せるタトゥシールまたはボディシールと呼ばれる転写シートがある。
【０００３】
このようなタトゥシールまたはボディシールと呼ばれる転写シートは、デザイン化した画像や模様など所定の情報を印刷機によって同一かつ大量に印刷した後に、小分け包装したものが市販されている。また、画像や模様などのほかにデザイン化した文字や記号など所定の情報を印刷機によって同一かつ大量に印刷した後に、小分け包装したものも市販されている。  
【０００４】
しかしながら、上記タトゥシールまたはボディシールと呼ばれる転写シートは、あらかじめデザイン化した画像や模様など所定の情報を印刷機によって同一かつ大量に印刷したものであることから、選択できる画像や模様などの種類が限られてしまうという問題があった。また、画像や模様などのほかにデザイン化した文字や記号など所定の情報を印刷することもできるが、これらデザイン化した文字や記号で表現できる情報が多くないという問題があった。
【０００５】
なお、透明フィルム素材より成る転写フィルム本体上面に、シリコーン層を設け、その上面に柔軟性に優れたインキにより任意の転写パタ−ンを印刷し、更にその上面に粘着剤を塗布し、この印刷した転写パタ−ンを粘着剤による感圧接着により、顔などの皮膚表面に転写するように構成とした柔軟性転写シ−ルとして以下の公報がある。
【０００６】
【特許文献１】特開平８−１４２４９３号公報。
【発明の開示】
【発明が解決しようとする課題】
【０００７】
本発明は以上のような諸問題に鑑みなされたもので、任意の画像や模様など独自の情報を印刷して被着体に転写することができる転写シートを提供することを課題とする。また、専用の読み取り装置によって読み取ることで多くの文字情報を得ることができる二次元コードを印刷して被着体に転写することができる転写シートを提供することを課題とする。
【課題を解決するための手段】
【０００８】
本発明は上記課題を解決すべく、以下に掲げる構成とした。
請求項１記載の発明の要旨は、一方の面に印刷可能な印刷シートと、前記印刷シートを被着体に貼着可能にする粘着剤シートと、からなる転写シートであって、前記印刷シートには少なくともプリンタによって任意の情報を印刷した印刷層を設けたことを特徴とする転写シートに関する。
請求項２記載の発明の要旨は、前記印刷シートは透明な印刷保護層と、前記印刷保護層の一方の面に設けた印刷層と、前記印刷保護層の他方の面に設けた水溶層と、前記水溶層の他方の面に設けたシート基材と、を備え、前記粘着剤シートは透明な粘着剤層と、前記粘着剤層の一方の面に設けた第１の剥離シートと、前記粘着剤層の他方の面に設けた第２の剥離シートと、を備えることを特徴とする請求項１記載の転写シートに関する。
請求項３記載の発明の要旨は、前記印刷シートには文字情報を符号化し縦横二方向に展開した二次元コードを含む印刷層を設けたことを特徴とする請求項１記載の転写シートに関する。
請求項４記載の発明の要旨は、前記文字情報を符号化し縦横二方向に展開した二次元コードは、住所、氏名、電話番号、ファクシミリ番号、携帯電話番号、ＵＲＬアドレス、電子メールアドレス、イベント、チケットのいずれかに関する情報を含むことを特徴とする請求項１記載の転写シートに関する。
【発明の効果】
【０００９】
本発明は、一方の面に印刷可能な印刷シートと、前記印刷シートを被着体に貼着可能にする粘着剤シートと、からなる転写シートであって、前記印刷シートには少なくともプリンタによって任意の情報を印刷した印刷層を設けた転写シートとしたので、任意の画像や模様など独自の情報を印刷して被着体に転写することができる。
また、前記印刷シートには文字情報を符号化し縦横二方向に展開した二次元コードを含む印刷層を設けた転写シートとしたので、専用の読み取り装置によって読み取ることで多くの文字情報を得ることができる二次元コードを被着体に転写することができる。
【発明を実施するための最良の形態】
【００１０】
本発明にかかる転写シートについて図１乃至図３を用いて説明する。図１は本発明にかかる転写シートの構成を説明するための概略断面図、図２は本発明にかかる転写シートの使用方法を説明するための概略断面図、図３は本発明にかかる転写シートの転写後の状態を示す図である。
【００１１】
本発明にかかる転写シートは、一方の面に印刷可能な印刷シートと、この印刷シートを被着体に貼着可能にする粘着剤シートと、からなる。図１（ａ）は印刷シートの構成を説明するための概略断面図である。印刷シート１０は、透明な印刷保護層２と、この印刷保護層２の一方の面に設けた印刷層４と、この印刷保護層２の他方の面に設けた水溶層６と、この水溶層６の他方の面に設けたシート基材８と、を備えている。図１（ｂ）は他の例の印刷シートの構成を説明するための概略断面図である。印刷シート１０は、印刷保護層２の一方の面に文字情報を符号化し縦横二方向に展開した二次元コード５を含む印刷層４を設けている。図１（ｃ）は粘着剤シートの構成を説明するための概略断面図である。粘着剤シート２０は、透明な粘着剤層１２と、この粘着剤層１２の一方の面に設けた第１の剥離シート１４と、この粘着剤層１２の他方の面に設けた第２の剥離シート１６と、を備えている。
【００１２】
以下、各々の構成について説明する。前記印刷シート１０の印刷保護層２は、透明性が高く、かつ、印刷適正をもつ合成樹脂を用いることができる。たとえば、ポリエチレン、ポリスチレン、ポリエステル、スチレン系樹脂、アクリル系樹脂などを単一または混合して用いることができる。また、印刷保護層２は、二酸化ケイ素、酸化チタン、炭酸カルシウムなどを配合して印刷層４を設ける面を多孔性として印刷適正を向上させることができる。
【００１３】
前記印刷層４は、少なくともプリンタによって任意の情報を印刷することができる。この任意の情報を印刷するためのプリンタは、インクの微細な粒子を吐出させて印刷を行うインクジェット方式や、固形インクを薄く塗布したインクリボンに加熱した印字ヘッドを押しつけてインクを溶かして転写する熱転写方式などのプリンタを用いることができる。また、前記印刷層４と同様にプリンタによって任意の文字情報を符号化し縦横二方向に展開した二次元コード５を印刷することができる。なお、前記印刷層４は、従来の技術と同様にグラビア印刷機やスクリーン印刷機などを用いて、あらかじめデザイン化した画像や模様など所定の情報を印刷しておくこともできる。これら、前記印刷層４および前記二次元コード５は、被着体に転写した後、印刷保護層２の方向から透かして見るものであるから、すべて鏡像（逆像）にて印刷される。
【００１４】
前記水溶層６は、天然ポリマーであるコーンスターチなどのでんぷんやデキストランなどの微生物粘質物、半合成ポリマーである酸化でんぷんや変性でんぷん、合成ポリマーであるポリアクリル酸やポリエチレンオキシドやポリビニルアルコール、などを単一または混合して用いることができる。
【００１５】
前記シート基材８は、水分が浸透しやすい基材が用いられ、たとえば、中質紙、上質紙、クラフト紙、などを用いることができる。
【００１６】
前記粘着シート２０の粘着剤層１２は、アクリル系、ゴム系、シリコーン系、スチレン系エラストマーなどから適宜選択することができる。被着体が人間の皮膚の場合は、炎症などを起こすことが無いように皮膚への刺激が少ない絆創膏用の粘着剤が好適であり、たとえば、アクリル系の粘着剤が好ましく用いられる。
【００１７】
前記第１の剥離シート１４は、前記粘着剤層１２と接する面にシリコーン樹脂などの剥離剤を塗布したクラフト紙やグラシン紙、同じくシリコーン樹脂などの剥離剤を塗布したポリエチレンテレフタレートやポリエチレンやポリプロピレンなどのフィルム系樹脂、などを用いることができ、前記粘着剤層１２を保護して必要なときに剥離することができれば特に制限はない。
【００１８】
前記第２の剥離シート１６は、前記粘着剤層１２と接する面にシリコーン樹脂などの剥離剤を塗布したポリエチレンテレフタレートやポリエチレンやポリプロピレンなどのフィルム系樹脂、などを用いることができ、透明性が高く、かつ、前記粘着剤層１２を保護して必要なときに剥離することができれば特に制限はない。
【００１９】
次に、本発明にかかる転写シートの使用方法について説明する。まず、粘着剤シート２０から第１の剥離シート１４を剥離して粘着剤層１２を露出させる。次に、図２（ａ）に示すように、この粘着剤シート２０の粘着剤層１２を印刷シート１０の表出している面である印刷層４（二次元コード５）に重ねて貼着する。
【００２０】
次に、前述したように透明な第２の剥離シート１６側から印刷層４（二次元コード５）の形状を確認して裁断する。さらに、図２（ｂ）に示すように、透明な第２の剥離シート１６を剥離して粘着剤層１２を露出させる。
【００２１】
次に、図２（ｃ）に示すように、露出した粘着剤層１２によって被着体３０に貼着する。そして、シート基材８側から水分を供給する。シート基材８は水分が浸透しやすい基材が用いられているので、水分は被着体３０側に位置する水溶層６に達し、この水溶層６が溶けることによってシート基材８を取り除くことができる。
【００２２】
このようにして、図２（ｄ）に示すように、転写シートから被着体３０へ印刷層４（二次元コード５）を転写することができる。先述したように、印刷層４（二次元コード５）は、印刷保護層２の一方の面にすべて鏡像（逆像）にて印刷され、粘着剤層１２によって被着体３０に転写した後、印刷保護層２の他方の面から透かして見るものである。したがって、図３に示すように、図示せぬ印刷保護層２を透過して印刷層４（二次元コード５）を正像で見ることができる。
【００２３】
以上のように、本発明の転写シートは、少なくともプリンタによって任意の情報を印刷した印刷層４を設けた転写シートとしたので、従来のように選択できる画像や模様などの種類が限られてしまうことなく、任意の画像や模様など独自の情報を印刷して被着体３０に転写することができる。
【００２４】
また、本発明の転写シートは、プリンタによって文字情報を符号化し縦横二方向に展開した二次元コード５を設けることができる。二次元コード５には、ＱＲコード、ＰＤＦ４１７、ＤａｔａＭａｔｒｉｘ、ＭａｘｉＣｏｄｅなどがあり、たとえば、ＱＲコード（登録商標）が好ましく用いられる。
【００２５】
ＱＲコードは、バーコードの数十倍から数百倍の情報量を扱う事ができるもので、数字、英字、漢字、カナ、ひらがな、記号、バイナリ、制御コードなどあらゆるデータを扱う事が可能であり、たとえば、数字であれば７０８９文字まで一つのコードで表現できるので大容量のデータを収納することができる。また、縦横二方向でデータを表現しているので、バーコードと同じ情報量であれば１０分の１程度の大きさで表現でき小スペースで印字することができる。また、誤り訂正機能をもっているので、コードの一部に汚れや破損があってもデータの復元が可能であり、最大約３０％を訂正することができる。さらに、３６０度どの方向からでも背景模様の影響を受けずに安定した高速読み取りができるので曲面や凹凸面に転写しても読み取ることができる。
【００２６】
本発明の転写シートは、プリンタによって文字情報を符号化し縦横二方向に展開した二次元コード５（ＱＲコード）を設け、被着体３０に転写することによって、以下のような利用法が考えられる。
【００２７】
まず、さまざまな個人情報をＱＲコードにすることができる。たとえば、名刺に記載されるような会社名、住所、氏名、電話番号、ファクシミリ番号、携帯電話番号、ＵＲＬアドレス、電子メールアドレスなどの文字情報をＱＲコード化して被着体３０に転写する。このＱＲコードを読み取り装置で読み取ることで前記の文字情報を復号化することができ、これらの文字情報をデータベース化することが容易となる。このような個人情報は、ＱＲコード化する情報を適宜選択して、個人の各種持ち物などにも付すことができる。
【００２８】
また、ＷｅｂサイトのＵＲＬを示す接続情報をＱＲコード化することができる。近年、携帯電話機の中にはＱＲコードの読み取り機能が備えたものがある。たとえば、商品やサービスなどＷｅｂサイト上の情報に関してその詳細な情報を知りたい利用者は、携帯電話機によりＱＲコードを読取る。そのＱＲコードにはＷｅｂサイトのＵＲＬを示す接続情報が含まれているので、その接続情報に基づいて情報センターにアクセスすることによって、利用者は商品やサービスなどに関する詳細情報を入手することができる。
【００２９】
また、従来、複数日にまたがる野外コンサートの会場などでは、コンサート入場者であることを判別するため、手などにスタンプなどを押すことがあったが、手などを洗う事で消えてしまう問題があった。また、手首に巻き付けるリストバンドでは長時間巻き付けていると汗が気になるという問題があった。しかしながら、イベントやチケットに関する情報を含むＱＲコードを皮膚に転写することで、上記の問題が解消されるとともにファッション性も損なわないものである。イベントやチケットに関する情報としては、イベントが開催される会場に関する会場情報、日時に関する日時情報、座席位置に関する座席情報、イベント入場者に関する個人情報、などを含むことができる。イベント会場ではＱＲコード読み取り装置を設置することにより、イベントやチケットに関する情報を含むＱＲコードを読み取って、正規のイベント情報である場合にのみ入場を許可するようにする。このように、イベントやチケットに関する情報を含むＱＲコード化することによって、イベントでの入場可否の判定は人間の目視に頼ることなく自動認識することができ、正確かつ迅速な入場可否の判断が可能になるとともに、入場者情報をリアルタイムで集計することができる。
【００３０】
また、ＱＲコードと、ＱＲコードの読み取り機能を備えた携帯電話と、を用いることによって、ＱＲコードに含まれる文字情報を転写シールにしてファッションの一部として発信することも考えられる。つまり、情報発信者は携帯電話のメールアドレスやイベント情報などをＱＲコード化して、自分の腕や爪などに入れ墨（タトゥー）代わりに貼り、情報受信者はＱＲコードの読み取り機能を備えた携帯電話で読み取ることで、情報発信者は携帯電話のメールアドレスやイベント情報を取得することができる。このように情報発信者がＱＲコードを自分の腕や爪などに入れ墨（タトゥー）代わりに貼りつけていれば、双方が携帯電話を取り出して情報交換することなく、情報受信者だけが携帯電話を操作すれば良く、情報発信者は自分自身が携帯電話を持っていなくても、情報受信者に情報を発信することができる。
【００３１】
なお、このような転写シールは人間の皮膚だけに関わらず、被着体に適した粘着剤を用いることによって、紙、布、木材、皮革、ゴム、プラスチック、タイル、コンクリート、ガラス、金属などに転写することができ、またわずかな平面部分あれば転写することができる。また、転写された印刷層は、従来のシールと比較して極めて薄いので、被着体の素材そのもののイメージを損なうことなく情報を表示することができる。
【００３２】
以上のように、本発明の転写シートは、印刷シート１０に文字情報を符号化し縦横二方向に展開した二次元コード５を含む印刷層４を設けたので、専用の読み取り装置によって読み取ることで多くの文字情報を得ることができる二次元コード５を被着体３０に転写することができる。
【００３３】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００３４】
【図１】本発明にかかる転写シートの構成を説明するための概略断面図である。
【図２】本発明にかかる転写シートの使用方法を説明するための概略断面図である。
【図３】本発明にかかる転写シートの転写後の状態を示す図である。
【符号の説明】
【００３５】
２  印刷保護層
４  印刷層
５  二次元コード
６  水溶層
８  シート基材
１０  印刷シート
１２  粘着剤層
１４  第１の剥離シート
１６  第２の剥離シート
２０  粘着剤シート
３０  被着体
【図１】
2006065167.tif 000003
【図２】
2006065167.tif 000004
【図３】
2006065167.tif 000005